(57)【要約】【課題】より高い偽造防止効果を達成すること。【解決手段】本発明の偽造防止媒体１０は、光反射層２２と、光反射層２２の前面と向き合い、ネマチック液晶材料またはスメクチック液晶材料からなり、一方の主面にレリーフ型の回折格子２４が形成された位相差層２３とを含んだことを特徴とする。【選択図】      図２
2008183832.tif 000002
【特許請求の範囲】
【請求項１】
光反射層と、前記光反射層の前面と向き合い、ネマチック液晶材料またはスメクチック液晶材料からなり、一方の主面にレリーフ型の回折格子が形成された位相差層とを含んだことを特徴とする偽造防止媒体。
【請求項２】
前記回折格子は、前記主面の一部のみに形成されたことを特徴とする請求項１記載の偽造防止媒体。
【請求項３】
前記光反射層の前方に位置しかつ前記位相差層と向き合った光透過性の着色層をさらに具備したことを特徴とする請求項１または２記載の偽造防止媒体。
【請求項４】
前記光反射層は、干渉色を呈する反射層を含んでいることを特徴とする請求項１から３のいずれか１項記載の偽造防止媒体。
【請求項５】
真正であるか否かが未知の物品を真正品と非真正品との間で判別する方法であって、
前記真正品は請求項１から４のいずれか１項記載の偽造防止媒体を支持した物品であり、
前記真正であるか否かが未知の物品が、偏光子を介して観察することで可視化する潜像を含んでいない場合には、前記真正であるか未知の物品は非真正品であると判断することを含んだことを特徴とする判別方法。
【発明の詳細な説明】
【技術分野】
【０００１】
本発明は、株券、債権、小切手、および商品券などの有価証券、宝くじ、並びにＩＤカードなどの偽造を防止するために利用可能な偽造防止技術に関する。
【背景技術】
【０００２】
近年、電子写真技術を利用した複写機が普及し、これを利用して誰でも簡単に書類を複写できるようになった。特に、最近のカラーデジタル複写機によれば、原稿か複写物かの判定が極めて困難な複写物でさえも容易に作製することができる。
【０００３】
一般的なカラーデジタル複写機では、以下の方法で複写を行う。まず、原稿に光を照射し、反射光をＣＣＤラインセンサで検知する。ＣＣＤラインセンサは、反射光の強度に応じたデジタル信号を生成し、複写機内のメモリに送信する。この読み取りを、レッド（Ｒ）、グリーン（Ｇ）、ブルー（Ｂ）の３色について行い、それぞれの色について得られたデジタル信号をメモリに格納する。次に、格納されたデジタル信号に基づいて、レーザー光で感光体ドラムに静電潜像を描画する。続いて、静電力を利用して、感光体ドラム上に静電潜像に対応したトナー像を形成する。その後、このトナー像を用紙へと転写し、転写したトナー像を用紙上に定着させる。例えば、このプロセスをイエロー（Ｙ）、マゼンダ（Ｍ）、シアン（Ｃ）、ブラック（Ｂｋ）の４色について行うことにより、精巧なカラー複写物を得ることができる。
【０００４】
このようなカラー複写は、便利である反面、株券、債権、約束手形、小切手などの有価証券や、入場券、搭乗券などの印刷物の偽造を容易にする。このため、容易に複写できないように、印刷物に複製防止対策を施す提案が種々なされている。
【０００５】
そのような対策の１つとして、カラー複写による複写物の色が原稿の色と異なるようにする技術がある。例えば、有価証券などの原稿を非常に淡い色で着色する技術が提案されている。この淡い色を複写で正確に再現することは難しい。また、原稿に大きさの異なる網点を形成する技術が提案されている。これの複写物では、小さい網点の再現性が不十分となり易い。さらに、緑、紫、橙、金、銀等のカラー複写機のトナーにない色で印刷する技術が提案されている。また、人間が容易に知覚できる光の波長域では反射および／または吸収特性がほぼ等しく、人間が知覚困難な光の波長域、例えば３８０ｎｍ〜４５０ｎｍおよび６５０ｎｍ〜７８０ｎｍの波長域における反射および／または吸収特性が異なる２種類のインキを用いる技術が提案されている。これらインキを使用して形成した２つの領域は、見た目には同色であるが、カラー複写機で複写した場合に異なる色に再現され得る。
【０００６】
しかし、カラー複写機では、出力色の補正が可能である。また、カラースキャナで読み込んだデジタルデータをコンピュータで補正し、カラープリンタで出力するデジタルプレスが普及しつつある。従って、多少の手間をかければ、原稿の色を精巧に再現することが可能であり、上記のような技術で偽造を防止することは困難である。
【０００７】
また、例えば、有価証券などに、カラー複写機では再現不可能な特殊部品を設けておく技術も提案されている。このうち、特許文献１および２に記載されているホログラム箔などのＯＶＤ（Optical Variable Device）を有価証券などの表面上に設ける技術は、すでに実用化されている。この技術によると、ホログラムの銀面が光を鏡面反射するため、ＣＣＤラインセンサに反射光が入射せず、原稿の銀面部分は複写物では黒色に再現される。また、特許文献３には、屈折率の異なるセラミック層を積層してなりかつ見る角度によって色が変化する光学薄膜を使用する技術が記載されている。この色の変化は複写物では得ることができないので、容易に真贋判定が可能となる。さらにまた、この方法で形成された薄膜を細かく砕き、破片をインキに混入して印刷を行うことも提案されている。
【０００８】
しかしながら、エンボス技術が発達したため、レリーフ型の回折格子を含んだ反射層の形成は以前より低難易度化している。加えて、多層薄膜フィルムは、一般の包装用フィルムとして販売され始めている。その結果、ホログラムの偽造防止効果は低化してきている。
【０００９】
なお、特許文献４には、パターニングされた高分子液晶層と連続膜としての回折構造層とを含んだ液晶積層複合体が開示されている。この複合体において、回折構造層は、高分子液晶層を被覆するとともに、それが形成しているパターンの開口を埋め込んでいる。
【特許文献１】特開平６−２５９０１３号公報
【特許文献２】特開平７−０８９２９３号公報
【特許文献３】特表２００４−５０５１５８号公報
【特許文献４】特開２００６−１４２５９９号公報
【発明の開示】
【発明が解決しようとする課題】
【００１０】
本発明は、より高い偽造防止効果を達成することにある。
【課題を解決するための手段】
【００１１】
上記の課題を解決するための第１の発明は、光反射層と、光反射層の前面と向き合い、ネマチック液晶材料またはスメクチック液晶材料からなり、一方の主面にレリーフ型の回折格子が形成された位相差層とを含んだことを特徴とする偽造防止媒体である。
【００１２】
また、第２の発明は、回折格子は、主面の一部のみに形成されたことを特徴とする第１の発明の偽造防止媒体である。
【００１３】
また、第３の発明は、光反射層の前方に位置しかつ位相差層と向き合った光透過性の着色層をさらに具備したことを特徴とする第１または第２の発明の偽造防止媒体である。
【００１４】
また、第４の発明は、光反射層は、干渉色を呈する反射層を含んでいることを特徴とする第１から第３の発明のいずれか１つの偽造防止媒体である。
【００１５】
また、第５の発明は、真正であるか否かが未知の物品を真正品と非真正品との間で判別する方法であって、真正品は第１から第４の発明のいずれか１つの偽造防止媒体を支持した物品であり、真正であるか否かが未知の物品が、偏光子を介して観察することで可視化する潜像を含んでいない場合には、真正であるか未知の物品は非真正品であると判断することを含んだことを特徴とする判別方法である。
【発明の効果】
【００１６】
本発明によれば、より高い偽造防止効果を達成することができる。
【発明を実施するための最良の形態】
【００１７】
以下、本発明の実施形態について、図面を参照しながら詳細に説明する。なお、各図において、同様または類似した機能を発揮する構成要素には同一の参照符号を付し、重複する説明は省略する。
【００１８】
図１は、本発明の第１実施形態の偽造防止媒体を概略的に示す平面図である。図２は、図１に示す偽造防止媒体のＩＩ−ＩＩ線に沿った断面図である。この偽造防止媒体１０は、真正品であることが確認されるべき物品に支持させる。
【００１９】
この偽造防止媒体１０は、図２に示す基材２１を含んでいる。基材２１としては、例えば、ポリエチレンテレフタレート（ＰＥＴ）、ポリエチレンナフタレート（ＰＥＮ）、トリアセチルセルロース(ＴＡＣ)、ポリ塩化ビニル、ポリエステル、ポリカーボネート、ポリメタクリル酸メチル、ポリスチレン等の合成樹脂のフィルム、天然樹脂のフィルム、合成紙などの紙、ガラス板、アルミフォイル、または、それらの組み合わせを使用することが可能である。厚みは、偽造防止媒体の使用目的に応じて適宜選択すれば良い。
【００２０】
基材２１上には、光反射層２２が形成されている。光反射層２２の材料は、光反射性が得られれば特に限定されない。光反射層２２は、例えば、金属蒸着層などの鏡面反射層である。この光反射層の材料としては、例えば、アルミニウム、金、銀、銅などの金属または合金を用いることができる。これらの材料は単独でまたは積層して使用できる。この光反射層２２は、例えば、真空蒸着やスパッタリングなどの気相堆積方法を用いて形成することができる。
【００２１】
光反射層２２は、反射性顔料を含んだ光反射性顔料層であってもよい。光反射性顔料層の材料としては、例えば、光反射性顔料を樹脂などに分散させたものを用いることができる。この光反射層２２は、反射光に干渉色を与えるものであってもよい。そのような光反射層２２は、光反射性顔料として、例えば、見る角度に応じて色が変化する材料を微粉砕したものを用いることにより得られる。この材料は、例えば、屈折率がそれぞれ異なりかつ適当な膜厚を持つセラミックからなる複数層を積層させて形成する。また、光反射性顔料としては他に、パール顔料と呼ばれる光輝性顔料を用いることもできる。
【００２２】
光反射層２２の前面は、λ／４位相差層２３で部分的に被覆されている。λ／４位相差層２３は、図１に矢印ｎＡ２３で示す方向に沿った進相軸と、この進相軸ｎＡ２３に垂直な遅相軸（図示せず）とを有している。λ／４位相差層２３は、波長がλでありかつ偏光面（電場ベクトルの振動面）が進相軸ｎＡ２３に対して斜めの直線偏光を入射させると、偏光面が遅相軸に平行な第１直線偏光と、偏光面が進相軸ｎＡ２３に平行でありかつ第１直線偏光からλ／４だけ位相が進んだ第２直線偏光とを射出する。
【００２３】
波長λは、設計波長である。設計波長λは、典型的には自然光のうち人間の視細胞の感度が高い緑色光の波長、例えば約５５０ｎｍである。設計波長λにおけるλ／４位相差層２３のリターデイションは、その厚さのばらつきなどに起因して、設計通りにならないことがある。このような場合であっても、このリターデイションの設計値からのずれが、設計値の約１０％以下であれば、後述する検証に大きな影響を及ぼすことはない。
【００２４】
λ／４位相差層２３は、ネマチックまたはスメクチック液晶材料からなる。この液晶材料は、例えば、サーモトロピック液晶材料である。λ／４位相差層２３は、例えば、この液晶材料を含有したインキを用いて形成する。この印刷には、例えば、グラビア印刷法を用いることができる。
【００２５】
先のインキには、溶剤を添加してもよい。また、液晶分子の末端には、アクリル基等の官能基を導入してもよい。そのような液晶材料を使用した場合、液晶分子の配向を完了させた後に活性エネルギー線を照射することにより液晶分子を架橋させることができる。したがって、物理的強度に優れたλ／４位相差層２３が得られる。
【００２６】
λ／４位相差層２３は、直接染料、分散染料および二色性染料などの染料、または、顔料を含んでいてもよい。この場合、着色剤の含量は、後述する第１光反射領域１１のＵＬＣＳ（uniform lightness chromaticness scale）表色系における明度Ｌ＊が好ましくは１０以上となるように、より好ましくは１５以上となるように調節する。
【００２７】
λ／４位相差層２３の前面には、レリーフ型の回折格子２４が形成されている。
【００２８】
この回折格子２４は、例えば、レリーフ型のホログラムである。ホログラムは、光の干渉縞を微細な凹凸パターンとして平面に記録するレリーフ型、体積方向に干渉縞を記録する体積型などがある。この中でも、レリーフ型ホログラムは、量産性やコストの面で好ましいため、一般的に利用されている。なお、用語「回折格子」は、照明光を照射することにより回折波を生じる構造を意味し、ホログラムだけではなく、例えば複数の溝を平行かつ等間隔に配置する通常の回折格子も含む。
【００２９】
回折格子２４には、様々な像を表示させることができる。例えば、回折格子２４には、立体画像、見る角度により色が変化するカラーシフトを生じる像、キラキラと輝く独特な光輝感を有する像などを表示させることができる。あるいは、回折格子２４には、星などの図形や、肉眼では判別不可能な微細な文字，所謂、マイクロ文字，などの文字を表示させることができる。また、回折格子２４には、多色の画像を表示させることや、観察角度等に応じて異なる画像を表示させることも可能である。
【００３０】
回折格子２４に表示させる像には、画素構造を採用してもよい。すなわち、λ／４位相差層２３の前面に、各々が回折格子を含み、視覚効果が互いに異なる複数の画素をマトリクス状に並べてもよい。これら画素の各々の視覚効果が分かっていれば、それらの並べ替えによって得られる像の予想は容易である。それゆえ、デジタル画像データから、各画素に採用すべき構造を容易に決定することができる。
【００３１】
なお、典型的には、光反射層２２と位相差層２３との間には、配向膜を介在させる（図示せず）。配向膜は、その上に形成する液晶層が含む液晶分子のメソゲン基の配向方向を制御する働きをもつ。配向膜は、例えば、ポリビニルアルコール（ＰＶＡ）などの樹脂からなる。
【００３２】
配向膜は、例えば、以下の方法により形成する。まず、先の樹脂を溶剤に溶解してなる樹脂溶液を、ワイヤバー、グラビア、マイクログラビア等の塗工方式を用いて反射性基材上に塗布し、この塗膜を乾燥する。その後、ラビング布にて配向膜面を擦るラビング処理を行い、配向膜を得る。ラビング布には、例えば、コットンやベルベットなどの材料が使用できる。
【００３３】
偽造防止媒体１０は、基材２１の光反射層２２が形成された面と反対側の面に光吸収層２５を含むことができる。光吸収層２５は、光反射層２２が光反射性顔料を含む場合には、その反射色を明瞭にする役割を果たす。なお、光吸収層２５は、基材２１と光反射層２２との間に介在させてもよい。また、光吸収層２５を省略することもできる。
【００３４】
以下、この偽造防止媒体１０のうち、λ／４位相差層２３およびこれと向き合った部分からなる領域を第１光反射領域１１と呼び、その他の領域を第２光反射領域１２と呼ぶ。
【００３５】
次に、偽造防止媒体１０に自然光を照射して、これを肉眼で観察した場合に見える画像について説明する。
【００３６】
まず、第１光反射領域１１による光反射について説明する。
【００３７】
λ／４位相差層２３は照射された自然光の一部を反射する。λ／４位相差層２３の前面には回折格子２４が形成されているので、この反射光の少なくとも一部は回折光である。以下、この回折光を回折反射光と呼ぶ。観察者は、この回折反射光を見ることで、回折格子２４による視覚効果を知覚する。
【００３８】
一方、λ／４位相差層２３に入射した自然光は、λ／４位相差層２３を透過する。光反射層２２は、この透過光を反射する。
【００３９】
この反射光は、λ／４位相差層２３を透過する。以下、この透過光を、透過反射光と呼ぶ。λ／４位相差層２３の前面には回折格子２４が形成されているので、透過反射光の少なくとも一部は回折光である。観察者は、この透過反射光を見ることで、光反射層２２が与える視覚効果と回折格子２４が与える視覚効果とを同時に知覚する。
【００４０】
このように、第１光反射領域１１は、回折格子２４による視覚効果と光反射層２２による視覚効果とを有している。
【００４１】
次に、第２光反射領域１２による光反射について説明する。
【００４２】
光反射層２２は、照射された自然光を反射する。観察者は、この反射光を見ることで、光反射層２２の視覚効果を知覚する。したがって、第２光反射領域１２は、光反射層２２による視覚効果を有している。
【００４３】
このように、第１光反射領域１１と第２光反射領域１２とは、異なる視覚効果を有している。つまり、偽造防止媒体１０を肉眼で観察した場合、これらは互いからの判別が可能な可視像を形成する。
【００４４】
次に、この偽造防止媒体１０を支持した物品が真正品であることを確認するためなどに用いる検証具について説明する。
【００４５】
ここで用いる検証具は、直線偏光フィルムと、λ／４位相差層とを含んでいる。
【００４６】
直線偏光フィルムは、例えば、吸収型の偏光フィルムである。この場合、直線偏光フィルムは、その透過軸と平行な偏光面を持つ直線偏光は透過させ、透過軸と直行する偏光面を持つ直線偏光を吸収する。
【００４７】
吸収型の偏光フィルムとしては、例えば、ＰＶＡからなる延伸フィルムにヨードを吸収させたＰＶＡ−ヨウ素型フィルムまたは二色性染料型フィルムを用いることができる。これら偏光フィルムは、物理的強度が低いため、トリアセチルロース（ＴＡＣ）からなるフィルムで挟んで使用してもよい。
【００４８】
λ／４位相差層は、直線偏光フィルムの一方の主面と向き合っている。λ／４位相差層の進相軸は、直線偏光フィルムの透過軸に対して斜めである。一例として、直線偏光フィルム側からλ／４位相差層を見た場合に、λ／４位相差層の進相軸の方向は透過軸に平行な方向から反時計回りに４５°回転させた方向であるとする。この場合、この検証具は左円偏光子として機能する。
【００４９】
次に、この検証具を用いて、偽造防止媒体１０を支持した物品が真正品であることを検証する方法を説明する。
【００５０】
図３は、図１および図２に示す偽造防止媒体１０と上で説明した検証具とを重ねた場合に観察可能な画像の一例を概略的に示す平面図である。
【００５１】
図３では、偽造防止媒体１０と検証具５０とを、検証具５０のλ／４位相差層が光反射領域１１および１２の双方と向き合うように配置している。さらに、直線偏光フィルムの透過軸ＯＰとλ／４位相差層２３の進相軸ｎＡ２３とを平行にしている。この場合、図３に示すように、第２光反射領域１２は暗部として見え、第１光反射領域１１は第２光反射領域１２と比較して明るく見える。この理由を、以下に説明する。なお、ここでは、簡略化のため、設計波長λと等しい波長を有しかつ偽造防止媒体１０に垂直に入射する光についてのみ考える。
【００５２】
検証具５０の直線偏光フィルムに自然光を照射すると、検証具５０は、第１光反射領域１１および第２光反射領域１２に向けて左円偏光を射出する。
【００５３】
第１光反射領域１１では、図２に示すλ／４位相差層２３は、この左円偏光の一部を反射して、右円偏光へと変換する。なお、λ／４位相差層２３の前面には回折格子２４が形成されているので、この右円偏光の少なくとも一部は回折反射光である。
【００５４】
検証具５０のλ／４位相差層は、この右円偏光を直線偏光へと変換する。この直線偏光の偏光面は、検証具５０の直線偏光フィルムの透過軸ＯＰと直交する。したがって、λ／４位相差層２３が反射した光は、検証具５０を透過できない。
【００５５】
一方、検証具５０が第１光反射領域１１に向けて射出した左円偏光の他の一部は、λ／４位相差層２３を透過する。λ／４位相差層２３は、この左円偏光を直線偏光へと変換する。この直線偏光の偏光面は、観察者側から見た場合に進相軸ｎＡ２３に対して反時計回りに４５°傾いている。
【００５６】
光反射層２２は、この直線偏光を偏光面の向きを変えずに反射する。
【００５７】
この直線偏光は、λ／４位相差層２３を透過する。λ／４位相差層２３は、この直線偏光を左円偏光へと変換する。
【００５８】
検証具５０のλ／４位相差層は、この左円偏光を直線偏光へと変換する。この直線偏光の偏光面は、検証具５０の直線偏光フィルムの透過軸ＯＰと平行である。したがって、λ／４位相差層２３を透過した光は、検証具５０を透過することができる。
【００５９】
以上の理由から、検証具５０を介して偽造防止媒体１０の第１光反射領域１１を観察した場合、観察者は、λ／４位相差層２３が反射した光は知覚できないものの、λ／４位相差層２３を透過した光は知覚できる。
【００６０】
次に、第２光反射領域１２による光反射について説明する。検証具５０は、第２光反射領域１２に向けて左円偏光を射出する。光反射層２２は、この左円偏光を反射して、右円偏光へと変換する。
【００６１】
検証具５０のλ／４位相差層は、この右円偏光を直線偏光へと変換する。この直線偏光の偏光面は、検証具５０の直線偏光フィルムの透過軸ＯＰと直交する。したがって、この反射光は、検証具５０を透過できない。
【００６２】
以上の理由から、検証具５０を介して偽造防止媒体１０を観察した場合、観察者は、第２光反射領域１２からの反射光を知覚できない。
【００６３】
このように、検証具５０を介して偽造防止媒体１０を観察した場合、観察者は、第１光反射領域１１からの反射光は知覚できるが、第２光反射領域１２からの反射光は知覚できない。したがって、第１光反射領域１１は明部として見え、第２光反射領域１２は暗部として見える。すなわち、検証具５０を使用することにより、λ／４位相差層２３の複屈折性が形成している潜像を可視化することができる。
【００６４】
したがって、このような偽造防止媒体１０を支持させた物品と偽造品などの非真正品とを肉眼で判別できない場合であっても、検証具５０などの偏光子を使用することによりそれらを判別することができる。すなわち、真正であるか否かが未知の物品が、偏光子を介して観察することで可視化する潜像を含んでいない場合には、その物品は非真正品であると判断することができる。
【００６５】
このような表示画像の変化は、偽造防止媒体１０の複写物で再現することはできない。加えて、回折格子２４が形成している回折像も、偽造防止媒体１０の複写物で再現することはできない。そして、偽造防止媒体１０の複製は困難である。
【００６６】
しかも、この偽造防止媒体１０は、先の回折像と潜像とが完全に重なり合っているため、これを拡大して観察したとしても、回折格子２４による偽造防止対策が図られているようにしか見えない。加えて、この偽造防止媒体１０では、回折像と潜像との双方を、１つの層，すなわち、λ／４位相差層２３，のみに形成している。そのため、回折像と潜像と別々の層に形成した場合と比較して、これら像に対応した部分の厚さとそれ以外の部分の厚さとの差が小さい。それゆえ、この偽造防止媒体１０は、潜像の存在を悟られ難い。
【００６７】
したがって、偽造防止媒体１０を使用すると、より高い偽造防止効果を達成することが可能となる。
【００６８】
なお、この偽造防止媒体１０では、λ／４位相差層２３をパターニングして潜像を形成しているが、他の方法で潜像を形成することも可能である。
【００６９】
例えば、パターニングされ、リターデイションが互いに異なる複数の位相差層を同一面内に並べてもよい。しかしながら、そのような構造を形成することは難しく、コストがかかる。
【００７０】
あるいは、連続膜としてのλ／４位相差層を形成し、このλ／４位相差層にリターデイションが異なる領域を設けることにより潜像を形成することも可能である。例えば、連続膜としてのλ／４位相差層を形成し、その一部を加熱することにより、その加熱部のリターデイションを変化させることができる。あるいは、連続膜としてのλ／４位相差層を形成し、その一部に有機溶剤を塗布することにより、その塗布部のリターデイションを変化させることができる。しかしながら、連続膜としてのλ／４位相差層に形成した潜像は、必ずしも高い熱安定性を有しているわけではない。また、特に有機溶剤を使用してリターデイションを変化させる場合には、微細で複雑な形状の潜像を形成することは難しい。
【００７１】
図１および図２に示す偽造防止媒体１０では、リターデイションの異なる複数の位相差層を用いずにλ／４位相差層２３のみで潜像を形成している。したがって、潜像を容易かつ低コストで形成することができる。また、図１および図２に示す偽造防止媒体１０では、λ／４位相差層２３の形状が潜像の形状に対応している。それゆえ、この偽造防止媒体１０は、潜像の熱安定性に優れている。そして、このλ／４位相差層２３は、例えば印刷法により形成することができる。そのため、微細で複雑な形状の潜像を形成することができる。
【００７２】
次に、本発明の他の実施形態を説明する。
【００７３】
図４は、本発明の第２実施形態の偽造防止媒体を概略的に示す平面図である。
【００７４】
この偽造防止媒体２０は、以下の構成を採用したこと以外は、図１および図２を参照しながら説明した偽造防止媒体１０とほぼ同様である。すなわち、図４の偽造防止媒体２０では、第１光反射領域１１は、回折格子２４が形成された領域１１ａと回折格子２４が形成されていない領域１１ｂとを含んでいる。
【００７５】
この偽造防止媒体２０に自然光を照射して、これを肉眼で観察した場合、領域１１ａは、回折格子２４による視覚効果と光反射層２２による視覚効果とを示す。領域１１ｂは、回折格子による視覚効果は示さず、光反射層２２による視覚効果のみを示す。また、第２光反射領域１２は、光反射層２２による視覚効果を示す。
【００７６】
したがって、偽造防止媒体２０を肉眼で観察した場合、第１光反射領域１１の領域１１ｂと第２光反射領域１２との間の境界を判別することは困難である。また、領域１１ａと、領域１１ｂおよび第２光反射領域１２とは、互いからの判別が可能な可視像を形成している。
【００７７】
次に、検証具を介して偽造防止媒体２０を観察した場合に見える画像について説明する。
【００７８】
図５は、図４に示す偽造防止媒体と検証具とを重ねた場合に観察可能な画像の一例を概略的に示す平面図である。
【００７９】
図５では、偽造防止媒体２０と第１実施形態で説明したのと同様の検証具５０とを、検証具５０のλ／４位相差層が光反射領域１１および１２の双方と向き合うように配置している。さらに、直線偏光フィルムの透過軸ＯＰとλ／４位相差層２３の進相軸ｎＡ２３とを平行にしている。この場合、第１実施形態で説明したのと同様に、第２光反射領域１２は暗部として見え、第１光反射領域１１は明部として見える。
【００８０】
このように、第２実施形態は、第１光反射領域１１の一部，すなわち、領域１１ａ，のみに回折像を形成すること以外は第１実施形態と同様である。したがって、本実施形態によると、回折像と潜像とを完全に重ね合わせることに伴う効果は得られないものの、第１実施形態で説明したのとほぼ同様の効果を得ることができる。
【００８１】
上述した偽造防止媒体１０および２０には、様々な変形が可能である。
【００８２】
例えば、λ／４位相差層２４が偽造防止媒体の前面全体に設けられ、このλ／４位相差層２４の少なくとも一部に回折格子が設けられた構成を採用することもできる。また、偽造防止媒体１０および２０では、回折格子２４をλ／４位相差層２３の前面に形成しているが、回折格子２４は、λ／４位相差層２３の光反射層２２と向き合う面に形成してもよい。λ／４位相差層２３の代わりに、リターデイションがλ／４以外の位相差層を使用してもよい。例えば、λ／２位相差層やλ／８位相差層を光反射層２２上に設けることもできる。その場合、検証に用いる検証具も設けた位相差層に応じて適宜変更する。また、λ／４位相差層２３の前面または背面に光透過性の着色層を設けることもできる。
【００８３】
光反射層２２は、パターニングされていてもよい。例えば、光反射層２２は、図形および／または文字パターンを形成していてもよい。そのような光反射層２２は、例えば、マスクを用いた気相堆積法により基材２１上に金属を堆積させることにより得られる。パターニングされている光反射層を含んだ偽造防止媒体は、光反射層が連続膜である偽造防止媒体と比較してより高い偽造防止効果を発揮する。
【００８４】
偽造防止媒体１０および２０の前面に、紫外線や物理衝撃からの保護を目的として、保護層を設けることもできる。例えば、図４の偽造防止媒体２０の前面に、光透過性の保護層を設けると、第１光反射領域１１の領域１１ｂと第２光反射領域１２との境界の判別をさらに困難にすることができる。
【００８５】
偽造防止媒体１０および２０の背面，ここでは基材２１の２つの主面のうち反射層２２が形成されていない面，には、粘着または接着加工を施してもよい。すなわち、偽造防止媒体１０または２０を用いて、偽造防止ラベルとして使用可能な粘着ラベルを形成してもよい。
【００８６】
偽造防止媒体１０および２０は、様々な方法で印刷物に適用できる。例えば、上記の粘着ラベルを印刷物に貼り付けてもよい。この場合、基材２１に切り込みまたはミシン目を設けておいてもよい。すなわち、ラベルを剥がそうとしたときに、基材２１が切り込みからまたはミシン目の位置で破れるような構造を採用してもよい。もちろん、偽造防止媒体１０および２０は、印刷物以外の物品に貼り付けることもできる。
【００８７】
偽造防止媒体１０または２０を含んだ転写箔を形成し、この転写箔を用いて、偽造防止媒体１０または２０を物品に転写してもよい。
【００８８】
偽造防止媒体１０または２０を印刷物に適用する場合、スレッド（ストリップ、フィラメント、糸状物、安全帯片などとも称される）と呼ばれる形態で、紙にすき込んでもよい。
【００８９】
偽造防止媒体１０または２０を印刷物などに適用するための粘着剤としては、一般的な材料を用いることができる。例えば、塩化ビニル−酢酸ビニル共重合体、ポリエステル系ポリアミド、アクリル系、ブチルゴム系、天然ゴム系、シリコン系、ポリイソブチル系などの粘着剤を単独で用いることもできるし、またはこれらの粘着剤にアルキルメタクリレート、ビニルエステル、アクリルニトリル、スチレン、ビニルモノマー等の凝集成分、不飽和カルボン酸、ヒドロキシ基含有モノマー、アクリルニトリル等に代表される改質成分や重合開始剤、可塑剤、硬化剤、硬化促進剤、酸化防止剤等の添加剤を必要に応じて添加したものを用いることもできる。粘着層の形成には、例えば、グラビア印刷法、オフセット印刷法、スクリーン印刷法などの印刷方法やバーコート法、グラビア法、ロールコート法などの塗布方法を用いることができる。あるいは、一方の主面に粘着層を形成したセパレータを使用してもよい。すなわち、粘着層をセパレータと共に偽造防止媒体１０または２０に貼り付け、その後、偽造防止媒体１０または２０からセパレータのみを剥がしてもよい。粘着層には、離型処理を行った離型紙や離型フィルムを貼り付けてもよい。これにより、粘着加工を施した偽造防止媒体１０または２０の取り扱いが容易になる。
【００９０】
次に、参考例を説明する。
【００９１】
図６は、参考例の偽造防止媒体を概略的に示す平面図である。図７は、図６に示す偽造防止媒体のVII−VII線に沿った断面図である。この偽造防止媒体３０は、真正品であることが確認されるべき物品に支持させる。
【００９２】
図６に示す偽造防止媒体３０は、以下の構成を採用したこと以外は、図１および図２を参照しながら説明した偽造防止媒体１０と同様である。すなわち、図６の偽造防止媒体３０は、回折格子形成層２６と液晶配向膜２７とをさらに含んでいる。回折格子形成層２６は、基材２１と光反射層２２との間に介在している。液晶配向膜２７は、光反射層２２とλ／４位相差層２３との間に介在している。そして、回折格子２４は、λ／４位相差層２３の前面には形成されておらず、光反射層２２の前面であって、λ／４位相差層２３と隣り合う領域に対応した位置に形成されている。
【００９３】
回折構造形成層２６の前面には、回折格子２４に対応した形状の凹凸が設けられている。回折格子形成層２６は、例えば、基材２１上に高分子樹脂層を形成し、この高分子樹脂層に対して微細な凹凸を有する原版をプレスすることにより得られる。
【００９４】
光反射層２２は、回折格子形成層２６上に形成されている。光反射層２２の前面には、回折格子形成層２６の前面に設けられた凹凸に対応して、凹凸が設けられている。この凹凸は、回折格子２４を形成している。
【００９５】
配向膜２７は、光反射層２２を被覆している。配向膜２７は、例えば、第１実施形態で説明した方法により形成することができる。
【００９６】
以下、この偽造防止媒体３０のうち、λ／４位相差層２３およびこれと向き合った部分からなる領域を第１光反射領域１１ｂと呼び、その他の領域を第３光反射領域１３と呼ぶ。
【００９７】
この偽造防止媒体３０に自然光を照射して、これを肉眼で観察した場合第１光反射領域１１ｂは、図４を参照しながら説明した偽造防止媒体２０の領域１１ｂと同様に見える。すなわち、第１光反射領域１１ｂは、光反射層２２の視覚効果を有している。
【００９８】
また、第３光反射領域１３では、光反射層２２が自然光を反射する。光反射層２２の前面には回折格子２４が形成されているので、この反射光の少なくとも一部は回折光である。すなわち、第３光反射領域１３は、光反射層２２による視覚効果と回折格子２４による視覚効果とを有している。
【００９９】
このように、第１光反射領域１１ｂと第３光反射領域１３とは、異なる視覚効果を有している。つまり、偽造防止媒体３０を肉眼で観察した場合、第１光反射領域１１ｂと第３光反射領域１３とは、互いからの判別が可能な可視像を形成する。
【０１００】
次に、この偽造防止媒体３０を支持した物品が真正品であることを確認するためなどに用いる検証具について説明する。
【０１０１】
ここで用いる検証具は、直線偏光フィルムである。この直線偏光フィルムは、上で説明した検証具５０が含んだ直線偏光フィルムと同じである。
【０１０２】
次に、この直線偏光フィルムを用いて、偽造防止媒体３０を支持した物品が真正品であることを検証する方法を説明する。
【０１０３】
図８は、図６および図７に示す偽造防止媒体３０と直線偏光フィルムとを重ねた場合に観察可能な画像の一例を概略的に示す平面図である。
【０１０４】
図８では、偽造防止媒体３０と直線偏光フィルム５１とを、直線偏光フィルムの透過軸ＯＰとλ／４位相差層２３の進相軸ｎＡ２３とが平行になるように配置している。この場合、観察者は、第１光反射領域１１ｂからの反射光と第３光反射領域１３からの反射光との双方を知覚できる。この理由を、以下に説明する。
【０１０５】
直線偏光フィルム５１に自然光を照射すると、直線偏光フィルム５１は、第１光反射領域１１ｂおよび第３光反射領域１３に向けて直線偏光を射出する。
【０１０６】
第１光反射領域１１ｂでは、この直線偏光は、図７に示すλ／４位相差層２３を透過する。この直線偏光は、λ／４位相差層２３の進相軸ｎＡ２３と平行な偏光面を持つので、偏光面を変えずにλ／４位相差層２３を透過する。
【０１０７】
光反射層２２は、この直線偏光を偏光面の向きを変えずに反射し、この直線偏光は、λ／４位相差層２３を透過する。この直線偏光は、λ／４位相差層２３の進相軸ｎＡ２３と平行な偏光面を持つので、偏光面を変えずにλ／４位相差層２３を透過する。
【０１０８】
この直線偏光は、直線偏光フィルム５１の透過軸ＯＰと平行な偏光面を有しているので、直線偏光フィルム５１を透過する。したがって、図８の配置で直線偏光フィルム５１を介して偽造防止媒体３０を観察すると、観察者は、第１光反射領域１１ｂからの反射光を知覚する。
【０１０９】
次に、第３光反射領域１３による光反射について説明する。
【０１１０】
直線偏光フィルム５１が第３光反射領域１３へ向けて射出した直線偏光は、図７に示す光反射層２２に照射される。光反射層２２は入射した直線偏光を偏光面の向きを変えずに反射する。この直線偏光は、直線偏光フィルム５１の透過軸ＯＰと平行な偏光面を有しているので、直線偏光フィルム５１を透過する。したがって、図８の配置で直線偏光フィルム５１を介して偽造防止媒体３０を観察すると、観察者は、第３光反射領域１３からの反射光を知覚する。
【０１１１】
つまり、図８の配置で直線偏光フィルム５１を介して偽造防止媒体３０を観察した場合、第１光反射領域１１ｂと第３光反射領域１３とは明るく見える。
【０１１２】
図９は、図６および図７に示す偽造防止媒体３０と直線偏光フィルム５１とを重ねた場合に観察可能な画像の他の例を概略的に示す平面図である。図９には、図８に示す状態から、直線偏光フィルム５１のみを観察者側から見て時計回りに４５°回転させた状態を描いている。すなわち、図９の配置では、直線偏光フィルム５１の光学軸ＯＰとλ／４位相差層２３の進相軸ｎＡ２３とは４５°の角度をなしている。この場合、第１光反射領域１１ｂは暗部となり、第３光反射領域１３は第１光反射領域１１ｂと比べて明るく見える。この理由を以下に説明する。
【０１１３】
まず、第１光反射領域１１ｂによる光反射について説明する。
【０１１４】
直線偏光フィルム５１が第１光反射領域１１ｂに向けて射出した直線偏光は、図７に示すλ／４位相差層２３を透過する。この直線偏光は、λ／４位相差層２３の進相軸ｎＡ２３に対して観察者側から見て時計回りに４５°傾いた偏光面を持つ。したがって、λ／４位相差層２３は、この直線偏光を左円偏光へと変換する。
【０１１５】
光反射層２２は、この左円偏光を反射して、右円偏光へと変換する。λ／４位相差層２３は、この右円偏光を直線偏光へと変換する。
【０１１６】
この直線偏光は、直線偏光フィルム５１の透過軸ＯＰと直交する偏光面を有しているので、直線偏光フィルム５１を透過できない。
【０１１７】
以上の理由から、直線偏光フィルム５１を介して偽造防止媒体３０を図９の配置で観察すると、観察者は、第１光反射領域１１ｂからの反射光を知覚できない。
【０１１８】
次に、第３光反射領域１３による光反射について説明する。  
第３光反射領域１３による光反射は、図８の配置の場合と同様である。すなわち、直線偏光フィルム５１を介して偽造防止媒体３０を図９の配置で観察すると、観察者は、第３光反射領域１３からの反射光を知覚する。
【０１１９】
以上の理由から、図９の配置で直線偏光フィルム５１を介して偽造防止媒体３０を観察すると、第１光反射領域１１ｂは暗部として見え、第３光反射領域１３は第１光反射領域１１ｂと比べて明るく見える。
【０１２０】
図９の状態から、直線偏光フィルム５１のみを観察者側から見て時計回りに４５°回転させると、直線偏光フィルムの透過軸ＯＰとλ／４位相差層２３の進相軸ｎＡ２３とが直交するので、偽造防止媒体３０が表示する画像は図８と同じになる。この状態からさらに直線偏光フィルム５１のみを観察者側から見て時計回りに４５°回転させると、直線偏光フィルムの透過軸ＯＰとλ／４位相差層２３の進相軸ｎＡ２３とは４５°の角度をなすので、偽造防止媒体３０が表示する画像は図９と同じになる。すなわち、直線偏光フィルム５１のみを観察者側から見て時計回りに４５°回転させる毎に、第１光反射領域１１ｂの明暗が切り替わる。一方、第３光反射領域１３の明度は、直線フィルムを回転させても変わらない。
【０１２１】
したがって、この偽造防止媒体３０を支持させた物品と偽造品などの非真正品とを肉眼で判別できない場合であっても、検証具５１などの偏光子を使用することによりそれらを判別することができる。例えば、検証具５１を介して観察することによりコントラスト比が変化する第１光反射領域１１および第３光反射領域１３を、真正であるか否かが未知の物品が含んでいない場合には、その物品は非真正品であると判断することができる。
【０１２２】
偽造防止媒体３０と検証具５１との配置に応じた表示画像の変化は、偽造防止媒体３０の複写物で再現することはできない。また、偽造防止媒体３０の複製は困難である。したがって、偽造防止媒体３０を使用すると、高い偽造防止効果を達成することが可能となる。
【実施例】
【０１２３】
以下、本発明の実施例について説明する。
【０１２４】
（実施例）
厚さ２５μｍのポリエチレンテレフタレートフィルムを用意した。次に、光反射性顔料層を形成すべく、このフィルムの片面に、シルクスクリーン法を用いた印刷法により、以下の組成のパールインキを塗布した。
【０１２５】
顔料（商品名：イリオジン２０１  メルク（株）製）  ８重量％
ワニス（商品名：ＳＳ６６  東洋インキ製造（株）製）  ５０重量％
溶剤（商品名：Ｓ７１８溶剤  東洋インキ製造（株）製）  ４２重量％
次に、λ／４位相差層を形成すべく、光反射性顔料層上に、以下の組成の液晶層用インキを硬化膜厚が約０．５μｍとなるようグラビア印刷した。
【０１２６】
液晶（商品名：パリオカラー  ＬＣ２４２  ＢＡＳＦ（株）製）  ３０重量％
重合開始剤（商品名：イルガキュア１８４  チバガイギー（株）製）  １．５重量％
溶剤（５０重量部のトルエンと５０重量部のメチルエチルケトンとの混合液）  ６８．５重量％
この塗膜を１００℃で１分間の乾燥に供した後、高圧水銀灯にて５００ｍＪ／ｃｍ2の光照射を行って塗膜を硬化させた。これにより、λ／４位相差層を得た。
【０１２７】
次に、ロールエンボス法を用いて、λ／４位相差層上にホログラムレリーフパターンを形成した。
【０１２８】
次に、光吸収層を形成すべく、ポリエチレンテレフタレートフィルムの光反射性顔料層を形成した面と反対の面に、以下の組成の墨インキを硬化膜厚が約２μｍとなるようにグラビア印刷した。
【０１２９】
墨インキ（商品名：ファインスターＲコンク墨  東洋インキ製造（株）製）
次に、この塗膜を８０℃で３０秒間の乾燥に供した。これにより、光吸収層を得た。
【０１３０】
以上のようにして、偽造防止媒体を製造した。
【０１３１】
この偽造防止媒体に白色光を照射しながら肉眼で観察したところ、全面から金色の色相が確認できた。また、λ／４位相差層が形成された領域からは、干渉による色相のグラデーションを確認できた。
【０１３２】
次に、この偽造防止媒体と第１実施形態で説明した検証具５０とを、検証具５０のλ／４位相差層が偽造防止媒体と向き合うように重ね合わせ、この状態で検証具５０に白色光を照射しながら偽造防止媒体を観察した。その結果、偽造防止媒体のうちλ／４位相差層が形成された領域は明部として見え、λ／４位相差層が形成されていない領域は暗部として見えた。
【０１３３】
次に、この偽造防止媒体をカラーコピーし、この複写物についても、検証具５０を用いて上記と同じ方法で観察した。その結果、明暗の変化は確認できなかった。
【０１３４】
（参考例）
厚さ２５μｍのポリエチレンテレフタレートフィルムを用意した。次に、回折格子形成層を形成すべく、このフィルムの片面に、グラビア印刷により、以下の組成の回折格子形成層用インキを塗布した。この塗膜は、乾燥膜厚が３μｍとなるように形成した。
【０１３５】
アクリルポリオール（商品名：ダイヤナール  ＬＲ２０９  三菱レイヨン（株）製）  ８０重量％
イソシアネート硬化剤（商品名：デュラネート  ２４Ａ−１００  旭化成（株）製）  ２０重量％
次に、この塗膜を８０℃で１分間の乾燥に供した。これにより、回折格子形成層を得た。
【０１３６】
次に、４０℃で３日間のエージング処理を行いロールエンボス法を用いて、回折格子形成層上にホログラムレリーフパターンを形成した。
【０１３７】
次に、回折格子形成層の全面に、真空蒸着法を用いて、光反射層として厚さが５０μｍのアルミニウム蒸着層を形成した。
【０１３８】
次に、液晶配向膜を形成すべく、バーコート法を用いて、アルミニウム蒸着面の全面に配向膜用インキを塗布した。この塗膜は、乾燥膜厚が３μｍとなるように形成した。この配向膜用インキの組成を以下に示す。
【０１３９】
ＰＶＡ樹脂（商品名：ポバール１１７  クラレ（株）製）  １０重量％
溶剤（９５重量部の水と５重量部のイソプロピルアルコールとの混合液）  ９０重量％
塗膜を１００℃で２分間の乾燥に供した後、この塗膜にラビング処理を施した。ラビング布としては、吉川化工（株）製のＦＩＮＥ  ＰＵＦＦ  ＹＡ−２０−Ｒを使用した。これにより、配向膜を得た。
【０１４０】
次に、λ／４位相差層を形成すべく、液晶配向膜の表面のうち、回折格子形成層のホログラムレリーフパターンが形成されていない部分に対応した領域のみに液晶層用インキをグラビア印刷した。λ／４位相差層の材料には実施例で使用したのと同じものを使用した。また、λ／４位相差層の形成には、実施例と同じ方法を用いた。
【０１４１】
以上のようにして、偽造防止媒体を製造した。
【０１４２】
この偽造防止媒体を白色光を照射しながら肉眼で観察したところ、λ／４位相差層が形成されていない領域では、干渉による色相のグラデーションが確認できた。また、λ／４位相差層が形成された領域は、白色に見えた。
【０１４３】
次に、この偽造防止媒体と検証具である直線偏光フィルムとを、直線偏光フィルムの透過軸と偽造防止媒体が含むλ／４位相差層の進相軸とが平行になるように重ね合わせ、この状態で直線偏光フィルムに白色光を照射しながら偽造防止媒体を観察した。その結果、偽造防止媒体の全面から反射光を知覚できた。
【０１４４】
次に、先の状態から、直線偏光フィルムのみを観察者側から見て時計回りに４５°回転させたこと以外は上記と同様の条件のもとで、偽造防止媒体を観察した。その結果、λ／４位相差層が形成されていない領域では反射光を知覚できたが、λ／４位相差層が形成された領域では反射光を知覚できなかった。
【０１４５】
続いて、先の状態から、直線偏光フィルムのみを観察者側から見て時計回りにさらに４５°回転させたこと以外は上記と同様の条件のもとで、偽造防止媒体を観察した。その結果、偽造防止媒体の全面から反射光を知覚できた。
【０１４６】
その後、直線偏光フィルムのみを観察者側から見て時計回りに４５°回転させる毎に、λ／４位相差層が形成された領域の明暗が入れ替わった。
【０１４７】
次に、この偽造防止媒体をカラーコピーし、この複写物についても、検証具を用いて上記と同じ方法で観察した。その結果、明暗の変化は確認できなかった。
【図面の簡単な説明】
【０１４８】
【図１】本発明の第１実施形態の偽造防止媒体を概略的に示す平面図。
【図２】図１に示す偽造防止媒体のＩＩ−ＩＩ線に沿った断面図。
【図３】図１および図２に示す偽造防止媒体と検証具とを重ねた場合に観察可能な画像の一例を概略的に示す平面図。
【図４】本発明の第２実施形態の偽造防止媒体を概略的に示す平面図。
【図５】図４に示す偽造防止媒体と検証具とを重ねた場合に観察可能な画像の一例を概略的に示す平面図。
【図６】参考例の偽造防止媒体を概略的に示す平面図。
【図７】図６に示す偽造防止媒体のVII−VII線に沿った断面図。
【図８】図６および図７に示す偽造防止媒体と直線偏光フィルムとを重ねた場合に観察可能な画像の一例を概略的に示す平面図。
【図９】図６および図７に示す偽造防止媒体と直線偏光フィルムとを重ねた場合に観察可能な画像の他の例を概略的に示す平面図。
【符号の説明】
【０１４９】
１０…偽造防止媒体、１１…第１光反射領域、１２…第２光反射領域、１３…第３光反射領域、２０…偽造防止媒体、２１…基材、２２…光反射層、２３…λ／４位相差層、２４…回折格子、２５…光吸収層、２６…回折格子形成層、２７…液晶配向膜、３０…偽造防止媒体。
【図１】
2008183832.tif 000003
【図２】
2008183832.tif 000004
【図３】
2008183832.tif 000005
【図４】
2008183832.tif 000006
【図５】
2008183832.tif 000007
【図６】
2008183832.tif 000008
【図７】
2008183832.tif 000009
【図８】
2008183832.tif 000010
【図９】
2008183832.tif 000011